Podtech/llm-jp-corpus-v4-ja_patent huggingface dataset:
(57)【要約】【課題】  歯ブラシの毛の根元に蓄積した歯磨き粉や水垢を清掃し、清潔さを保つとともに歯ブラシの寿命をより長くすることによって一般消費者の経済負担を軽減させ、家庭用不燃ごみの量を減らすようにする。容易に使用できるようコンパクトな道具にする。【解決手段】  小型ブラシ１を製作し、歯ブラシ２の毛の根元に蓄積した汚れを清掃する。そして、小型ブラシ１は歯ブラシ２の柄の部分から着脱可能にしてコンパクトにする。【選択図】  図１
2006102438.tif 000002
【特許請求の範囲】
【請求項１】
歯ブラシのブラシの根元に付着し、固まった歯磨き粉、水垢を清掃できる小型ブラシ。
【請求項２】
歯ブラシの柄の部分を上記小型ブラシの面積分だけくり抜き、上記小型ブラシを着脱可能にした歯ブラシ。
【発明の詳細な説明】
【技術分野】
【０００１】本発明は、日常生活において歯ブラシを使用する際、歯ブラシの毛の根元に付着する歯磨き粉による汚れや水垢を小型ブラシによって清掃できるようになっている。
また、歯ブラシの柄の部分に着脱可能な小型ブラシを取り付けることのできるコンパクトな形になっている。
【背景技術】
【０００２】従来、一般家庭において歯ブラシの寿命は毛先の磨耗の度合いのみならず、毛の根元部分に蓄積し溶けきれなかった歯磨き粉等による不衛生な理由も廃棄の対象となっていたため、歯ブラシをより長く清潔に使用することへの障害となっていた。
比較すべきこれまでの技術は、歯ブラシ全体を清掃しようとする大がかりなものや歯ブラシとは異なった対象に清掃器具を備えつけるといった試みであった。
【特許文献１】特開２０００−５０３５５３
【特許文献２】特開２００３−２７５０５８
【発明の開示】
【発明が解決しようとする課題】
【０００３】一度使いはじめた歯ブラシは日を追うとともに歯ブラシに蓄積した歯磨き粉や水垢で汚れていき、衛生的に保つことができない。純粋に歯ブラシの毛先の磨耗を考慮することなく不衛生な歯ブラシの外観によって多くの歯ブラシが一般家庭から廃棄されている。
【課題を解決するための手段】
【０００４】小型ブラシを利用し、汚れた歯ブラシの毛の根元部分を清掃する。
【発明の効果】
【０００５】歯磨き粉や水垢の蓄積した歯ブラシの毛の根元部分を小型ブラシで清掃することにより歯ブラシの不衛生な外観は清潔になり、消費者は歯ブラシの毛先の磨耗のみの観察結果で廃棄を判断できるようになる。
歯ブラシを清潔に保ち、長い期間使用することが可能になるため消費者の経済的負担も軽くなり、家庭用不燃ごみの量も軽減できるようになる。
【発明を実施するための最良の形態】
【０００６】本発明は、使用する歯ブラシの根元部分を小型歯ブラシによって清掃できるため、常に清潔感を保つことができる。また、歯ブラシの柄の部分に小型ブラシを収納する空間をあらかじめ設けてあるのでコンパクトで便利である。
図面について説明すれば、小型ブラシ１をあらかじめ製作しておき、歯ブラシ２の柄の部分を小型ブラシ１と同型の形にくり抜き、同じ面積の空間をあけておく。そして、その空間から小型ブラシ１を着脱させて使用する。
【図面の簡単な説明】
【０００７】
【図１】小型ブラシの表面図である。
【図２】小型ブラシを収納した歯ブラシの表面図である。
【符号の説明】
【０００８】１  小型ブラシ
２  歯ブラシ
【図１】
2006102438.tif 000003
【図２】
2006102438.tif 000004
(57)【要約】【課題】生卵を割る時、割れ目が奇麗につかなかったり、割れ目から卵の白身がたれて落ちてキッチン等を汚すことがある。これらを解決するための卵割り器を提供する。【解決手段】これらを解決するために、器の中に凸部を設けて、この部分に卵を叩いて奇麗な割れ目をつけるとともに、もしも、卵の白身がたれて落ちた場合には器の中に落ちるような構造とした卵割り器。【選択図】    図１
2006102432.tif 000002
【特許請求の範囲】
【請求項１】
器の中に凸部を設けたことを特徴とする卵割り器。
【発明の詳細な説明】
【技術分野】
【０００１】  本発明は、器の中に凸部を設け、この凸部に卵を叩いて奇麗な割れ目をつけるとともに、もしも、割れ目から卵の白身がたれた場合は器の中で受け止めて、キッチン等を汚さないための卵割り器に関するものである。
【背景技術】
【０００２】  従来の一般的な卵の割り方は、器の縁やシンクタンクの角などで、卵を叩いて割れ目を入れて割るのが普通で、器具を用いて卵を割るというものはなかった。
【発明の開示】
【発明が解決しようとする課題】
【０００３】  そのため、生卵を割るとき、割れ目が奇麗につかなかったり、割れ目から卵の白身がたれて落ちてキッチン等を汚すことがある。本発明は、これらの問題点を解決するために考え出されたものである。
【課題を解決するための手段】
【０００４】  上記の課題を達成するために、本発明の卵割り器は、器の中に凸部を設けて、この凸部で卵を叩いて、奇麗な割れ目をつけるとともに、もしも、卵の白身がたれて落ちても器の中に落ちるようにしたことで課題を達成するものである。
【発明の効果】
【０００５】  本発明は、上記で説明したように構成されているので、次に記載されるような効果を発揮する。【０００６】  凸部の頂部が鋭角的になっていることから、ここで卵を叩くと奇麗な割れ目をつけることができ、卵が割りやすくなる。【０００７】  また、凸部が器の中に設けられていることから、もしも、卵の割れ目から白身がたれて落ちても器で受け止めて、キッチン等を汚すことがない。【０００８】  さらに、この卵割り器は、器の周囲に切り欠き部を設けているので、料理用の竹ばし等を手軽に置くことができる。
【発明を実施するための最良の形態】
【０００９】  発明の実施の形態を図面に基づいて説明する。第１図及び第図２・第３図から分かるように、器１の中の凸部２は逆Ｖ字形をしていて、ここで卵を叩けば奇麗な割れ目をつけることができる。【００１０】  また、器の周囲の、切り欠き部３は料理用の竹ばしを置いても、転がることがなく安定して置くことができる。【００１１】  さらに、凸部２が器１の周囲に接していないため、器１が比較的小さくても、しゃもじやお玉などを置くことが可能である。なお、竹ばし・しゃもじ・お玉などは立てて保持するよりも寝かせた状態の方が、手などにぶつかることもなく安全である。
【図面の簡単な説明】
【００１２】
【図１】平面図
【図２】正面図
【図３】Ａ−Ｂ断面図
【図４】底面図
【図５】右側面図
【符号の説明】
【００１３】  １  器  ２  凸部  ３  切り欠き部
【図１】
2006102432.tif 000003
【図２】
2006102432.tif 000004
【図３】
2006102432.tif 000005
【図４】
2006102432.tif 000006
【図５】
2006102432.tif 000007
(57)【要約】【課題】  インプラント手術中  切削した周囲の骨の厚みを把握しにくく、術中Ｘ線にも撮影できない方向でありインプラント治療を成功させるためにも骨の厚みを計測したい。【解決手段】  骨を切削した穴に軸を入れ骨外側との距離を計測する【選択図】  図１
2006102440.tif 000002
【特許請求の範囲】
【請求項１】
切削した骨内部に縦軸を挿入し尖端との距離を計測することにより骨の厚みを計測することを特徴とする顎骨厚み計測器。
【請求項２】
前記尖端とつながった目盛り付き横軸が縦軸をスライドするためいろんな深さの位置での骨の厚みを計測できる。
【請求項３】
前記横軸を円でない形にすることにより縦軸と針のねじれを防ぎ、縦軸と尖端の最短距離を計測することができる。
【発明の詳細な説明】
【技術分野】
【０００１】  本発明は歯科の顎骨内に埋入するインプラント治療の器具に関する。
【背景技術】
【０００２】  従来、顎骨の厚みを計測するには、術前のＣＴや顎骨外側から計測で行われている。【０００３】  インプラント治療とは、歯牙の欠損した部分に人工歯根を顎骨に埋入する治療である。骨に穴をドリルであけていくものである。細いドリルから３ｍｍ、４ｍｍ、５ｍｍと段階的に穴をひろげていく。その際側面の骨がうすくなり側面に穴があくと、失敗の原因になりうる。術前にはＣＴやＸ線写真等で診査するのだが、術中には周囲の顎骨の厚みが気になりながら切削することになる。【０００４】  なお、本願発明に関連する公知技術として次の特許文献１を挙げることができる。【０００５】
【特許文献１】  特開平８−１９６５５０号
【発明の開示】
【発明が解決しようとする課題】
【０００６】  上述の如く、術前の診査等では、術中の骨の状態を把握しにくく、レントゲンによっても撮影できない方向である。確実に切削するためにもインプラント埋入を成功させるためにも、骨の厚みをいつでも把握できることが望ましい。【０００７】  本発明は、術中の骨の厚みを各段階いつでも測定できることが特徴である。
【課題を解決するための手段】
【０００８】  上述の骨の厚みを把握するために、本発明は骨の内壁から外壁間の距離を計測できることが特徴である。
【発明の効果】
【０００９】  以上説明したように術前の診査に基づきインプラント術を行い本発明を用いれば術中にも確実に骨の状態を把握することができ、患者、術者共に安全かつ確実に骨の切削を行うことに有効である。
【発明を実施するための最良の形態】
【００１０】  以下、本発明を図面に基づき詳細に説明する。【００１１】  図１〜図４は本発明により術中の各段階において切削した部分の外側にある骨の厚みを計測しているものである。【００１２】  図５は骨に穴があきインプラントの失敗となりうる様子を示したもので骨の厚みは０ｍｍとなる。【００１３】  図７は本発明の図である。縦軸１には骨内に縦軸を挿入した時に骨を切削した深さがわかるものである。リング２は縦軸１を上下にスライドし、リング３は横軸４を左右にスライドする。横軸４には縦軸の外周６と尖端５からの距離がわかる目盛りがついている。したがって、尖端５が計測したい部位にとどき骨の厚みが計測されるしくみである。【００１４】  図７の縦軸１をリング２がスライド回転できる。横軸４はリング３が回転しない形でスライドだけをする。このことにより縦軸の外周６と尖端５を最短距離に保つことができ、縦軸の外周６と針７のねじれを防ぐことができる。
【実施例】
【００１５】  図７縦軸１の長さは口腔内で使用するもののため３０ｍｍから４０ｍｍ前歯、奥歯で使いわける必要もあるだろう。縦軸の径は、切削器具の径によりかわってくるが、例とて１ｍｍ、３ｍｍ、４ｍｍ、５ｍｍと段階的に数種類必要となるであろう。さらに縦軸の先端から６ｍｍ、８ｍｍ、１０ｍｍのように目盛りをつけるとＸ線写真で切削した深さを確認することができる。ドリルで骨を切削した穴は正円柱のため、それにあわせた形状になる。【００１６】  横軸４はノギスの役目のため、１ｍｍきざみで目盛りがある方が好ましい。長さは１０ｍｍから１５ｍｍ程でリング３を回転させないために正円柱でない形状となる。径は２ｍｍから３ｍｍ程度でよい。【００１７】  リング２と横軸４は固定され、リング３と針７は固定されている。【００１８】  以上本発明の実施の形態及び実施例を説明したが、本説明の範囲は、これに限定されるものではない。例えば、インプラント治療に使用する器具が大きくなれば縦軸の径も大きくなる。深く切削するようになれば縦軸も長くなる。状況に応じて適宜選択されるものである。
【産業上の利用可能性】
【００１９】  本説明は、歯科で使用する器材を製造、販売する産業分野、医療分野で利用することができる。
【図面の簡単な説明】
【００２０】
【図１】  縦軸が細タイプで歯肉の上から計測する図
【図２】  縦軸が小タイプで骨切削段階初期に計測する図
【図３】  縦軸が中タイプで骨切削段階中期に計測する図
【図４】  縦軸が大タイプで骨切削段階後期に計測する図
【図５】  失敗につながる骨に穴があいた状態を計測した図
【図６】  縦軸が細タイプで歯肉を剥離して計測する図
【図７】  本発明の外観図である
【符号の説明】
【００２１】１  縦軸
２  縦軸リング
３  横軸リング
４  横軸
５  尖端
６  縦軸の外周
７  針
８  顎骨
９  歯ぐき
【図１】
2006102440.tif 000003
【図２】
2006102440.tif 000004
【図３】
2006102440.tif 000005
【図４】
2006102440.tif 000006
【図５】
2006102440.tif 000007
【図６】
2006102440.tif 000008
【図７】
2006102440.tif 000009
(57)【要約】      （修正有）【課題】食料品を買出しに行く場合に、鮮度を保ち保温保冷品を出来るだけ守りしかも両手が開いていて女性やお年寄りにとって安全なリュックの提供。【解決手段】リュックを上下二つの収納部分に分けて上下はファスナー８を介して下部を開閉自在とし、下部の収納部分は軽量な断熱材等の専用シートで包み保温保冷品などの物を区分けして入れる。【選択図】図４
2006102433.tif 000002
【特許請求の範囲】
【請求項１】
従来のリュックを上下２つの収納部分に分けて上下はファスナーを介して下部を開閉自在になることを特徴とするリュックサック
【請求項２】
上の収納部分は普段の外出の際の必要な品物を入れ、下の収納部分は保温・保冷を目的とし、外出先において保温あるいは保冷を必要としたものを収納可能にするための材質が装着されていることを特徴とする。
【請求項３】
バッグ本体は軽量で柔軟性のあることを特徴としたものであり、身体になじみ易くするため背面部と下部収納部分の内側の内装はクッション性の専用シートで形成され長時間の歩き易さと保温・保冷力を兼ね合わせたリュックサックである。
【発明の詳細な説明】
【技術分野】
【０００１】  本発明は従来のリュックサックの下部にもう一つの袋を設け保温食品または保冷食品を通常のリュックサック部分と区分けして収納することが出来る保温・保冷付きリュックサックに関するものである。［背景技術］【０００２】  一般にあたためてある食品や冷凍及び冷蔵品を買出しに行く場合にはリュックやハンドバッグの他に専用の手提げ袋に入れてかさばった状態で帰るという便利性を欠いているのが現状であり、なおかつ身体になじむ軽量で柔軟性のあるリュックサックが必要である。【０００３】  女性やお年寄りに充分対応できるよう本体を出来る限り軽量でかさばらず身体に馴染み自然に背負えるということが必要である。【０００４】  通常のリュックを背負って外出し、冷凍冷蔵品を買い求めて、リュックに品物を入れて帰る場合、時間がたつと外部の気温や背中の体温で多少温められ鮮度を失う恐れがある。又あたためてある食品を持ち帰る場合、熱が冷めて味を損なう恐れがある。よって通常の持ち物を収納する部分と区分けしたもう一つの保温保冷専用の収納部分内とに分けた中に保温保冷品を入れるというように形成されている。また背面部全体にも保温保冷専用シートの材質を備える必要がある等の問題がある。［発明の開示］［発明が解決しようとする課題］【０００５】  従来から使用されてる保温保冷専用手提げ又はショルダーは通常のリュックサックやハンドバッグ以外の持ち物となり不便さを感じていたものであった。【０００６】  本発明は、このように従来のリュックサックと保温保冷専用バッグを別々に持参していたものを軽量な材質を使用することによってひとつに合体させ、両手を開けることが出来ることを目的としたものである。［課題を解決するための手段］【０００７】  本発明は上記目的を達成するために、リュックサックを上下に分けて使用者の背中に接する面のみを連接させ、表面部の上下に分割した側面部から前面部に渡って反対側の側面部へとファスナーによって開閉自在にしひとつのリュックサックを中でふたつに区分けして下部収納スペースに保温保冷食品をを収納可能にするため背面部全体と下部の保温保冷専用収納部分を断熱材を使用していることを特徴とする。【０００８】  リュックサック内で区分けされて収納することによっていろいろな物が中で混在することを防ぎ、且つ冷凍冷蔵品の場合は鮮度も出来るだけ維持することができる。［発明の効果］【０００９】  上述したように本発明のリュックサックは、通常の持ち物と保温保冷品をバラバラに分けて持参していたものが一つに合体したことによって両手が開き、雨の日や電車・バスの乗降時の際に最大の便利さを得ることができる。【００１０】  また、お年寄りや女性など買い物による日々の生活必需品を運ぶ者にとって安全性や健康面でも力を発揮し不便さを解決してくれる物である。更にハイキングの際、弁当箱を独立して入れる箇所としても衛生的といえる。［発明の実施するための最良の形態］【００１１】  以下、本発明の実施の形態を図１〜図４に基づいて説明する。【００１２】  図１は本発明のリュックサックの表面部の斜視図、図２は背面部の斜視図であり、一見したところは通常のリュックサックと変わらない。【００１３】  図１に示すように、リュッ���を上部２と下部３に区分けし、背面部５のみは逢着し上下の２か所の口６と７から収納できるように形成されている。（図３参照）【００１４】  本発明は図１に示すように上部６の中を従来のリュックとして財布、ハンカチ等の持ち物を入れ、下部７を買い出した保温または保冷品を収納するようになっている。上部２と下部３の間を仕切るものとして一枚のシート９で区切られている。（図４参照）【００１５】  ところで、使用者が背負った場合、保温保冷品を収納するには鮮度を少しでも長く保てるように背面部全体４と下部収納袋７と仕切り面９を内部にクッション性の断熱材発泡ウレタンを使用し、７と９の表地はアルミフィルムを使用した専用シートで逢着させることによって更に断熱効果をもたらすことが出来る等の効果を奏する。
【図面の簡単な説明】
【００１６】
【図１】本発明の保温保冷付きリュックサックの前面部斜視図である。
【図２】本発明の保温保冷付きリュックサックの背面部斜視図である。
【図３】リュックの上部・下部の収納部をファスナーにより開放した状態を示す図
【図４】本発明のリュックサック下部の保温保冷収納部分を展開した状態を示す斜視図である。
【符号の説明】
【００１７】１    リュックサック本体（表地・・ナイロン）２    上部３    下部４    背面部（中に断熱材・発泡ウレタン）５    背面部逢着部分６    上部内袋入り口７    下部内袋入り口（中に断熱材・発泡ウレタン  表地・・アルミフィルム）８    ファスナー（ナイロン）９    上下仕切りシート（中に断熱材・発泡ウレタン    表地・・アルミフィルム）１０  背負いベルト１１  取っ手１２  蓋１３  ひも
【図１】
2006102433.tif 000003
【図２】
2006102433.tif 000004
【図３】
2006102433.tif 000005
【図４】
2006102433.tif 000006
(57)【要約】【課題】  足裏など筋肉の疲労を感じる部分にゴルフボールを押し当てて転がすことによるマッサージを行う際に生じる、ゴルフボールが遠くへ転がっていってしまうという状況の改善。また、中古ゴルフボールを再利用できるようにし、ごみ削減につなげる。【解決手段】ゴルフボール１を円形の外枠２の中央に設置して他へ転がっていかないようにし、円形の外枠２の内側で自在に転がるようにする。円形の外枠２の底には小さなボール３を８個取り付け、ゴルフボール１の動きに対応して円形の外枠２も動くようにしておく。ゴルフボール１を素足で踏んで円を描くように転がせば足裏のマッサージ器具として効果が期待できる。【選択図】  図１
2006102439.tif 000002
【特許請求の範囲】
【請求項１】
ゴルフボールを利用したマッサージ器具。
【請求項２】
ゴルフボールと同じ大きさの穴をあけた円形状の外枠を製作し、中心にゴルフボールを置く。ゴルフボールを自由に回転させることができるようにしておき、疲労を感じている筋肉にゴルフボールを押し当てて転がすことにより指圧効果を得ることができるマッサージ器具。
【請求項３】
ゴルフボールを取り囲む外枠の輪の底部には小さなボールを８個取りつけることにより、ゴルフボールと共に外枠の輪も自在に動き、疲労を感じている筋肉を広い範囲に渡り刺激することができるマッサージ器具。
【発明の詳細な説明】
【技術分野】
【０００１】本発明はゴルフボールとゴルフボールを囲む円形の外枠で構成されるマッサージ器具である。従来疲労を感じた筋肉にゴルフボールを当てて転がすと刺激が加わるが、ゴルフボール自体が転がりやすく疲労を感じている筋肉から遠くへ離れて行きがちで長時間使用しにくい。これを考慮し、ゴルフボールの形状に沿った円形の外枠を作成し、ゴルフボールをその中心に置くことでゴルフボールが転がっていかないよう転がる範囲を円形の外枠の内側のみに限定した。さらに円形の外枠の底には小さなボールを８個取りつけているため円形の外枠自体も移動可能で、自在に転がるゴルフボールの動きに連動して、マッサージ器具全体として疲労を感じた筋肉付近をゆっくりと移動できる形になっている。
【背景技術】
【０００２】疲労を感じた筋肉にゴルフボールを押し当てて転がすと心地よい刺激が得られるが、ゴルフボール自体を支えるものが存在しないと、ゴルフボールは疲労を感じている筋肉から離れ別方向へ転がっていってしまう。今まではゴルフボールの転がる力を活かし、疲労を感じている筋肉の上で長くとどめておくことが不可能であった。
比較すべきこれまでの技術は、ゴルフボールそのものを改造して固定したものや、ゴルフボールが駆動しても外枠装置は駆動しないもの等であった。
【特許文献１】特開２００３−１１１８１６
【特許文献２】特開２００１−１６１７７２
【特許文献３】特開２００１−９５８９２
【特許文献４】特開平１１−２３９５９４
【発明の開示】
【発明が解決しようとする課題】
【０００３】疲労を感じた筋肉にゴルフボールを押し当てて転がすとマッサージ効果が得られるが、ゴルフボールを固定していないため他へ転がっていってしまい、長時間ゴルフボールを疲労した筋肉の付近にとどめておくことができなかった。できるだけ長い時間ゴルフボールを使ってマッサージ効果を味わいたい。
【発明を解決するための手段】
【０００４】回転するゴルフボールの動きを利用して、疲労を感じた筋肉に押し当てる。ゴルフボールを自在に移動させてマッサージ効果を得るため、ゴルフボールを取り囲むように円形の外枠を製作し、その中心部でゴルフボールが回転できるようにした。また、円形の外枠の底部に小さなボールを８個装着することにより、中心で回転するゴルフボールの動きに沿って円形の外枠もゆっくりと疲労を感じている筋肉周辺を圧迫しながら移動できるようにした。
【発明の効果】
【０００５】このようにすればゴルフボールは、円形の外枠部分によってそこより外側へ転がることなく、疲労を感じている筋肉付近にゴルフボールをとどめておくことができる。さらにゴルフボールは新品である必要はなく、中古でかまわないため中古のゴルフボールを再利用でき、余分なごみを発生させない効果を生む。
【発明を実施するための最良の効果】
【０００６】本発明はゴルフボールを、疲労を感じる筋肉に押し当てて転がすことによってマッサージすることができ、かつゴルフボールが遠くへ転がっていかないように円形の外枠の中心位置内で転がるようにした。またゴルフボールを取り囲む形で存在する円形の外枠部分も底部に装着された小さなボールが回転することにより、筋肉の周囲を移動することができるマッサージ器具である。それをさらに図面について説明すれば、ゴルフボール１を円形の外枠２の中央に置いて転がす。円形の外枠２の底面部には小さなボール３を８個取りつけてあるので、ゴルフボール１と共に移動させればマッサージ効果を得ることができる。
【産業上の利用可能性】
【０００７】足の裏でゴルフボールを踏み、足のツボを揉みほぐすマッサージ器具としての利用が可能である。
【図面の簡単な説明】
【０００８】
【図１】ゴルフボールと円形の外枠の断面図である。
【図２】ゴルフボールと円形の外枠の平面図である。
【図３】ゴルフボールと円形の外枠の底面図である。
【符号の説明】
【０００９】１  ゴルフボール
２  円形の外枠
３  小さなボール
【図１】
2006102439.tif 000003
【図２】
2006102439.tif 000004
【図３】
2006102439.tif 000005
(57)【要約】【課題】  従来の寺院が用いる塔婆は図２に示すように、下部が土に刺すために尖った形状をしている、しかしながら、現代の墓地塔婆たての使用状況を見ると、現在は土に刺すことはほとんど見かけられず、墓石とセットの塔婆たては、刺すことが出来ない構造で並べ置く形式になっているため、下部が尖っている従来の塔婆では設置面の面積が少なく、傾きや風が吹くと騒音がし墓地に隣接している民家の住民は大変迷惑している【解決手段】塔婆下部を、塔婆下部２の平らな形状にし、安定させ傾き・騒音を抑え塔婆下部３のＶの切り込みがあることで、水はけも良い【選択図】図１
2006102434.tif 000002
【特許請求の範囲】
【請求項１】
従来の塔婆下部は尖がっており、その尖った部分を平らにし、その中央にＶの切り込みを一箇所施し、傾きや風揺れを防ぎ、水はけを良くすることを特徴とする塔婆。
【請求項２】
前記塔婆下部を平らにし、その中央にＶの切り込みを複数施し、傾きや風揺れを防ぎ、水はけを良くすることを特徴とする塔婆。
【発明の詳細な説明】
【技術分野】
【０００１】この発明は、寺院で盆・彼岸に用いる塔婆の形状に関する。
【背景技術】
【０００２】  従来の寺院が用いる塔婆の形状は、図２に示すように、下部が土に刺すために尖っている。
【発明の開示】
【発明が解決しようとする課題】
【０００３】  しかしながら、以上の技術によれば、現在は土に刺すことはほとんど見かけられず現代の墓地での使用状況を見ると、塔婆たてに構造上並べ置く形式で、下部が尖っているため接地面の面積が少なく、傾き・風が吹くと騒音がし墓地に隣接している民家の住民は大変迷惑している。そこで、この発明は、騒音が出にくい塔婆を提供することを課題とする。
【課題を解決するための手段】
【０００４】  以上の課題を解決するために、第一発明は、本来土に刺す、尖った部分を平らにして安定させ、中央にＶの切れ込みを設けたことを特徴とする塔婆である。
また、第二発明は、尖った部分を平らにし安定させ、Ｖの切り込みがあることで、水はけが良いことを特徴とする塔婆である。
【発明の効果】
【０００５】  第一発明、または第二発明によれば、塔婆下部の尖った部分を平らにし、その中央にＶの切り込みを施し、傾きや風揺れを防ぎ、水はけを良くする。
【発明を実施するための最良の形態】
【０００６】この発明の一実施形態を図１に示す。
塔婆の本体１は木製であり、この本体１の塔婆下部２は平らになっており、塔婆下部３のＶの切り込が一箇所設けられている。【０００７】「実施形態の効果」
この実施形態によれば、一般的な墓地の塔婆たてに、立てて見ると、塔婆下部２の接地面が平らであるため風による騒音が減少され、傾かず、塔婆下部３のＶの切り込みが一箇所あるため水はけが良い。【０００８】「他の実施形態」
図１の実施形態では、図３に示すように、塔婆下部３のＶの切り込みが三箇所等複数設けてみたが、複数Ｖの切り込みが多ければ水はけ効果は増し、風による騒音に付いては図１の実施形態と同じである。
【図面の簡単な説明】
【０００９】
【図１】この発明の一実施形態を示す斜視図である。
【図２】従来技術を示す斜視図である。
【図３】他の実施形態を示す斜視図である。
【符号の説明】
【００１０】    １  塔婆本体
２  塔婆下部平ら
３  塔婆下部Ｖの切り込み
【図１】
2006102434.tif 000003
【図２】
2006102434.tif 000004
【図３】
2006102434.tif 000005
(57)【要約】      （修正有）【課題】ヘアーアイロンで髪の毛にカールやウェーブを付けやすくする補助用具を提供する。【解決手段】台形状の不織布１を左右対称になるように真ん中に折り目２をつけ、二つ折りにした状態で固定できるよう４ヶ所にドーナッツ状のマグネット３を縫い付ける。熱伝導が悪くならないように小さな菱形のスリット４を作る。髪の毛をヘアアイロンで巻きつけてカールやウェーブをつける際に本体を二つ折りにして髪の毛を包み込んでからヘアアイロンで巻きつける。【選択図】図１
2006102437.tif 000002
【特許請求の範囲】
【請求項１】
適度の硬さをもち熱伝導の良い布を使い、毛束を包み込め、ヘアーアイロンに卷きつきやすくする。以上を特徴とする補助用具。
【発明の詳細な説明】
【技術分野】
【０００１】  本発明はヘアーアイロンで髪の毛にカールやウェーブを付ける際、毛束とヘアーアイロンを巻きつけやすくする補助用具に関するものである。
［背景技術］【０００２】  女性の流行の髪形がここ数年、毛先を不揃いにカットして緩やかなカールやウェーブを付けるものが主流となっており家庭でもヘアーアイロンの使用率が高まっているが、使いこなせずにいる方が多数いる。
［発明の開示］
［発明が解決しようとする議題］【０００３】  そのために、次のような問題点があった。
（イ）ヘアーアイロンは毛先を可動式のパネルで挟んだ状態で巻きつけてカールやウェーブをつけるのだが、パネルが半円状なのでの毛先が切り揃っている状態では最良の結果を生むのだが、最近の不揃いの毛先では使いこなすのに技術が必要となり、各家庭では使用するのが困難となっていた。
（ロ）パーマネントウェーブや染髪等で傷んでしまった毛先に高温のヘアーアイロンを直接巻きつけるのは傷みを増加させ枝毛や切れ毛の原因となっていた。
本発明は、これらの問題点を解決するためになされたものである。
［議題を解決するための手段］【０００４】  適度の硬さをもち熱伝導の良い布を使い、毛束を包み込め、ヘアーアイロンに巻きつきやすくなる。以上を特徴とする補助用具である。
［発明の効果］【０００５】  毛束とヘアーアイロンを直接巻きつけず、毛先を補助用具で一度包み込んでからヘアーアイロンに巻きつけることにより、１０センチ以上の不揃いな毛先も巻きつけることが出来、傷みの増加も抑えることが出来る。
［発明を実施するための最良の形態］【０００６】  以下、本発明の実施の形態について説明する。
（イ）台形状の不織布（１）を左右対称になるように真ん中に折り目（２）をつけ、二つ折りにした状態で固定できるよう４ヶ所にドーナッツ状のマグネット（３）を縫い付ける。
（ロ）髪の毛（５）をヘアアイロン（６）で巻きつけてカールやウェーブをつける際に本体（７）を二つ折りにして髪の毛（５）を包み込んでからヘアアイロン（６）で巻きつける。
（ハ）熱伝導が悪くならないように小さな菱形のスリット（３）を作ることによりカールやウェーブが付くのを妨げない。
本発明は以上のような構成で、本体（７）を二つ折りにして髪の毛（５）を包み込んでからヘアアイロン（６）で巻きつけてカールやウェーブをつける為の補助用具である。
不織布にトルマリンが織り込まれている物の方が使用時にマイナスイオンが発生し髪の毛に良い。
【図面の簡単な説明】
【０００７】［図１］  本発明の平面図
［図２］  本発明の使用状態を示す斜視図
【符号の説明】
【０００８】  １  不織布
２  折り目
３  ドーナッツ状のマグネット
４  菱形のスリット
５  髪の毛
６  ヘアーアイロン
７  本体
【図１】
2006102437.tif 000003
【図２】
2006102437.tif 000004
(57)【要約】【課題】  運動器具において、別々であったエンドレスベルト方式とステッピング方式の器具を、機能的に一体化させることにより、運動効果が高まるとともに、小型軽量な扱い易くなった運動器具を提供する。【解決手段】  ステッピング器具本体のステップア−ムと足乗せ台の接触面に、適宜数の回転ロ−ラ−を装着し、足乗せ台の一部に復元部材を装着して、足乗せ台が前後にスライドすることを特徴とするステッピング運動器具。【選択図】  図１
2006102431.tif 000002
【特許請求の範囲】
【請求項１】
ステッピング器具本体のステップア−ムと足乗せ台の接触面に、適宜数の回転ロ−ラ−を装着し、足乗せ台の一部に復元部材を装着して、足乗せ台が前後にスライドすることを特徴とするステッピング運動器具。
【請求項２】
回転ローラーを装着せず、接触面を低摩擦プラスチック板にした請求項１のステッピング運動器具。
【発明の詳細な説明】
【技術分野】
【０００１】  本発明は、運動器具において、別々であったウォ−キングとステッピングの運動器具を、機能的に一体化させることにより、運動効果が高まるとともに、小型軽量な扱い易くなった運動器具に関するものである。
【背景技術】
【０００２】    従来、一般家庭向きの健康運動器具としてウォ−キングの様々運動器具が考えられて  いるが、基本的には次の２方法に分けられる。
（イ）エンドレスのベルトを人が脚力によって後方に蹴りだしてベルトを動かすか、電    動モ−タ−によってベルトを動かし、この上を歩く方法。
（ロ）左右の踏み台に油圧シリンダ−を取り付け、左右交互に脚を踏み替え、上下運動  するステッピング方式の方法。
【発明の開示】
【発明が解決しようとする課題】
【０００３】      これらには、次のような問題点があった。
（イ）エンドレスベルトによる器具はどうしても歩幅以上の長さが必要で、そのため重      量も重くなり、狭い日本の住宅事情には適さず、邪魔になりがちである。
（ロ）ステッピング方式の器具は、小型で扱い易いのであるが、運動があまりにも単調      なため、使う筋肉が非常に部分的になると共に、飽きてしまい長続きしない。
本発明は以上の問題点を解決しようとするものである。
【課題を解決するための手段】
【０００４】  ステッピング器具本体のステップア−ムと足乗せ台の接触面に、適宜数の回転ロ−ラ−を装着し、足乗せ台の一部に復元部材を装着して、足乗せ台が前後にスライドすることを特徴とするステッピング運動器具である。
【発明の効果】
【０００５】  上下運動のみのステッピング運動器具では、使う脚の筋肉は部分的になり、ちょうど梯子を登っているような無理な使い方をしていることになる。本発明では、脚が前後に動くために、ちょうど坂道を登っている運動状態となっている。これはすなわちエンドレスベルト方式のウォ−キングの運動要素が入っていることになる。
さらに、エンドレスベルト方式では脚を前に出す意識を強く持たないと、ベルトの流れに負けてベルトから落ちてしまい、危険な場合がある。本来ウォ−キングは後ろ脚で蹴ることが重要で、これにより筋肉やアキレス腱が鍛えられるのであるが、通常のベルト方式では、脚の蹴りの力が、ベルトの流れに吸収されて半減している。この点、本発明では足乗せ台はストッパーで止まるので、しっかりと脚の蹴りを入れることが出来ると共に、後ろに落ちてしまう心配がない。
このように本発明は、自然なウォ−キングに近い運動が出来るので、高齢者にも優しく、飽きることがなく続けられる。
また、エンドレスベルト方式のように重くもなく、場所も取らないので、使用上や収納上の心配がなくなる。
【発明を実施するための最良の形態】
【０００６】  以下、本発明実地の形態について説明する。
（イ）ステッピング器具本体（１）のステップア−ム（２）に、下部面に適宜数の回転ロ  −ラ−（４）を設けた足乗せ台（３）を装着する。
（ハ）足乗せ台（３）の前部に引っ張りスプリング（５）、後部にはストッパー（６）、  両側面にはガイド（７）をステップア−ム（２）の下部面から外れないように取り付け  る。
実施例においては足乗せ台（３）の下部面に回転ロ−ラ−（４）を設けてあるが、これはステップア−ム（２）の上部面に設けても同じである。
また引っ張りスプリング（５）は足乗せ台（３）の復元のために設けたものであるが、この目的のために、他に、圧縮スプリングやエア−シリンダ−などの弾性のある復元部材を、足乗せ台（３）の後部や左右、あるいはステップア−ム（２）の下部に設けることは容易に考えられる。
また実施例においては足乗せ台（３）をスライドさせるために、回転ロ−ラ−（４）を用いた方法を示したが、回転ロ−ラ−（４）を使用しないで、替わりにフッソ樹脂のような低摩擦プラスチック板を、足乗せ台（３）の下面とステップア−ム（２）の上面に装着しても良い。こうすることにより構造的に簡単になるので、故障も出に難くなる。
本発明は以上のような構造で、これを使用する時は、足乗せ台（３）に足を乗せ、片側の足、例えば右足に体重をかけると、体重で右のステップアーム（２）が支点（９）を介して下がり、回転ロ−ラ−（４）により足乗せ台（３）が後ろにスライドしてストッパ−（６）で停止する。
次に左足に体重をかけると、今度は左の足乗せ台（３）が後ろにスライドしてストッパ−（６）で停止する。この時、同時に右足の力を抜くとスプリング（５）の力で足乗せ台（３）が元に戻る。この動作を繰り返して行う。
【図面の簡単な説明】
【０００７】
【図１】本発明の斜視図
【図２】本発明の使用状態を示す側面図
【符号の説明】
【０００８】      １  ステッピング器具本体
２  ステップアーム
３  足乗せ台
４  回転ローラー
５  スプリング
６  ストッパー
７  ガイド板
８  油圧シリンダ−
９  支点
１０  足
【図１】
2006102431.tif 000003
【図２】
2006102431.tif 000004
(57)【要約】【課題】  地震時の家具の転倒を防止する装置を提供する。【解決手段】  地震の初期に先行する小さな揺れの間に家具に取り付けた部材と床面との間に普段はたたまれている方杖を自動的に張り出して設置することで、主要動である大きな揺れの時に家具の転倒を防止する装置。【選択図】図２
2006102421.tif 000002
【特許請求の範囲】
【請求項１】
家具の側面に、両端に回転可能な接続部をもつ接続部材を介して方杖を連結した部材を取り付け、地震の初期に先行する小さな揺れにより普段はたたまれて保持されている方杖を方杖の自重により自動的に張り出すことで、地震の主要動である大きな揺れに対し家具の転倒を防止する装置。
【発明の詳細な説明】
【技術分野】
【０００１】  本発明は、地震時の家具の転倒を防止する装置に関するものである。
【背景技術】
【０００２】  従来の家具の転倒防止の主なものとしては、家具を金具等により背後の壁などに固定するものや、家具と天井の間に装置を据え付けるものがあった。
【発明の開示】
【発明が解決しようとする課題】
【０００３】  そのために家具に近い位置に十分強固な壁や天井がなければならないことや、壁や天井への金具の取り付けは、壁や天井の構造に左右されるため取り付けが困難な場合があるなどの問題点があった。
本発明はこれらの問題を解決するためになされたものである。
【課題を解決するための手段】
【０００４】  家具の転倒が問題になるような大きな地震は、その震源との位置関係にもよるが、まず初期の小さな揺れが先行する。この間は家具の転倒はほとんど起こらない。従って、この間に家具に取り付けた部材と床面との間に方杖を張り出して設置することで、主要動である大きな揺れの時に方杖が有効に機能し家具の転倒が防止される。方杖は小さな揺れにより自動的に張り出される必要があるため、以下のような構造としている。
方杖１は長軸の接続部材２と短軸の接続部材３により、自由に回転することができる接続部４を介して部材本体５と連結されており、普段は図１のようにたたまれている。このとき方杖の最下面６と受け面７は接触しており、この部分の摩擦力により、方杖１は位置を保持するようになっている。
この受け面７は水平でなく傾斜させているため、また、摩擦係数もある程度小さくしておくため、方杖１にわずかな振動が加わればその自重により傾斜した受け面７を滑り、結果として長軸の接続部材２と短軸の接続部材３との幾何学的条件により受け面７を離れる。そしで方杖の最上面８が、凹部９にはまるまで、方杖１は回転しつつ落下し移動をする。このように方杖は、図２のように張り出して設置される。必ずしも摩擦力によらず、たたまれたときに方杖１と部材本体５が近接する位置に磁石などを埋め込み、その磁力により保持しておいてもよい。この場合の磁力は、地震初期の小さな揺れの力に負けて方杖１と部材本体５が離れてしまう程度に小さくしておく。
家具の転倒に対する力に抵抗するため方杖１には圧縮力のみが働くが、長軸の接続部材２と短軸の接続部材３、接続部４は転倒に対する抵抗時に大きな力を伝達する必要はない。
部材本体５と家具は、上部のフック１０と下部のフック１１とを介して、主要な力を伝達する。必ずしもフックを介する必要はなく、部材本体５と家具とをボルトなどで強く固定することでもよい。
【発明の効果】
【０００５】  地震の初期に家具に取り付けた部材と床面との間に方杖が張り出して設置されるため、地震の大きな揺れに対し家具の転倒の防止となる。しかも地震時にのみ方杖が張り出してくるような構造としているため、日常生活において方杖が邪魔にならない。
この装置は、周囲の天井や壁を利用せずに機能するものであり、天井や壁の構造に影響されない利点がある。また、取り付け位置は家具前面の下部であるため、取り付けや調整などの保守作業が楽である。
【発明を実施するための最良の形態】
【０００６】以下、本発明の実施の形態について図面により説明する。
（イ）方杖１は長軸の接続部材２と短軸の接続部材３により、接続部４を介して半回動自在に部材本体５と連結し、普段は図１のようにたたんでおく。このとき方杖の最下面６と傾斜した受け面７は接触しており、この部分の弱い摩擦力により、方杖１は位置を保持するようになっている。必ずしも摩擦力によらず、たたまれたときに方杖１と部材本体５が近接する位置に磁石などを埋め込み、その弱い磁力により保持しておいてもよい。
（ロ）張り出し時に方杖の最上面８が凹部９にはまり、方杖に力が加わったときに方杖１と部材本体５とがずれないようにする。
（ハ）部材本体５と対象となる家具は力を伝達するために上部のフック１０と下部のフック１１を設けるのがよいが、必ずしもフックを用いる必要はなく、部材本体５と家具とをボルトなどで強く固定することでもよい。
（ニ）方杖１と長軸の接続部材２、短軸の接続部材３の長さ及び接続部４の位置は、張り出しの途中に床面を方杖の最下面６がこすらないような幾何学的条件に納める。
（ホ）装置は、図２のように方杖１が張り出されて設置されることで機能する。張り出しが完了したときに家具が傾いていない状態のときには、床面と方杖の最下面６とは接触はせず数ｍｍ程度のすき間１３があってもよい。
（ヘ）装置は家具の両側面の前方の下部２ヶ所に取り付けることが基本となる。
（ト）装置には大きな力が加わるため、木製や金属製などの強度の高い材料がよい。
（チ）装置の大きさは家具の重量や奥行きによっても異なってくるが、方杖の長さは家具の高さの半分程度で、方杖の最大張り出し幅は家具の高さの４分の１程度を想定している。
【図面の簡単な説明】
【０００７】
【図１】本発明の常時の斜視図である。
【図２】本発明の作動時の正面図である。
【符号の説明】
【０００８】    １  方杖
２  長軸の接続部材
３  短軸の接続部材
４  接続部
５  部材本体
６  方杖の最下面
７  受け面
８  方杖の最上面
９  凹部
１０  上部のフック
１１  下部のフック
１２  床面
１３  すき間
１４  家具の側面
１５  家具の正面
【図１】
2006102421.tif 000003
【図２】
2006102421.tif 000004
(57)【要約】【課題】この発明は、雨、風、雪などの悪天候時にも、気軽に外出が出来るように、開発したものである。【解決手段】背面（１）と天井囲い（２）、側面外周（３）から成り、車椅子のフレーム（４）にブラケット（５）で幌のフレーム（６）を固定させた風雨避け幌。【選択図】図  １
2006102427.tif 000002
【特許請求の範囲】
【請求項１】
背面（１）と天井囲い（２）、側面外周（３）から成り、車椅子のフレーム（４）にブラケット（５）で幌のフレーム（６）を固定させた風雨避け幌。
【発明の詳細な説明】
【発明の詳細な説明】
【技術分野】
【０００１】この発明は、車椅子に取り付けた風雨避け幌に関するものである。
【背景技術】
【０００２】従来、傘を保持する金具付きの車椅子はあったが、幌付きの物は無く、悪天候の時の外出は出来なかった。
【発明が解決しようとする課題】
【０００３】この発明は、雨、風、雪などの悪天候時にも、気軽に外出が出来るように、開発したものである。
【課題を解決するための手段】
【０００４】背面（１）と天井囲い（２）、側面外周（３）から成り、車椅子のフレーム（４）にブラケット（５）で幌のフレーム（６）を固定させた風雨避け幌。
【発明を実施するための最良の形態】
【０００５】  背面（１）と天井囲い（２）、側面外周（３）から成り、車椅子のフレーム（４）にブラケット（５）で幌のフレーム（６）を固定させた風雨避け幌。  背面（１）と天井囲い（２）、側面外周（３）の生地も透明又は不透明、半透明、着色も任意であるし、素材もビニール、その他合成地、テント地、その他任意である。背面（１）、天井囲い（２）、側面外周（３）もオープン式、カーテン式、開閉式、取り外し式、その他任意に考えられる。幌のフレーム（６）は鉄製、ステンレス製、アルミ製、チタン製、樹脂製、木材製、その他も任意に考えられる。  車椅子のフレーム（４）に取り付ける方法も、溶接式、ボルト他による組み付け脱着式、全体を折りたたみ収納式、その他任意に考えられる。  背面（１）と側面外周（３）の下部始末としては、車輪巻き込み防止ガイド（７）にホック式、チャック式、引っかけ式、その他任意の方法で、固定させ車輪に巻き込まれる事を防止する。
【発明の効果】
【０００６】雨、風、雪などの悪天候時に、車椅子で外出しようとすると、介護者に傘をさしてもらうか、搭乗者本人が雨合羽を着用するしかなく、悪天候時の車椅子の外出がたいへんであった。また、雨合羽着用及び傘使用による外出の場合、車椅子本体が雨等で濡れてしまい、使用後の保守が大変であった。この発明の風雨避け幌を設置する事により、気軽に外出が出来るようになったし、ボルト他による組み付け脱着式、又は、全体を折りたたみ収納式にする事により、脱着が容易となり、又、使用後も車椅子本体が雨等で濡れてしまう事も無く、使用後の保守もたいへん楽になり、悪天候時の車椅子での外出も気軽に出かけられると言う効果がある。
【図面の簡単な説明】
【図１】本発明の正面図である。
【符号の説明】
背面（１）      天井囲い（２）      側面外周（３）車椅子のフレーム（４）      ブラケット（５）      幌のフレーム（６）車輪巻き込み防止ガイド（７）
【図１】
2006102427.tif 000003
(57)【要約】【課題】  リフレクソロジ−と称される足裏指圧練習用モデル足に収納部を設けることで、個人的に指圧練習をしやすくし、また、これを収納する袋を取りつけ一体化させることで持ち運びも容易に出来ることも可能とした足裏指圧練習用モデル足付き収納袋を提供する。【解決手段】  ズボン状からなる袋部の上部を開口部とし、その袋部の口にはひも通し部を設け、ひもを通す。袋部の上縁より内側に収納部となる内袋を設け、ズボン状からなる袋部の裾には弾力性のある材料もしくは５本指からなる靴下に綿等を詰めて作ったほぼ人体大の足の指圧練習用の足を設け足裏に指圧ゾ−ンを表示することを特徴とする足裏指圧練習用モデル足付き収納袋。【選択図】  図２
2006102422.tif 000002
【特許請求の範囲】
【請求項１】
外形がズボン状からなり上部を開口した袋部の内側に内袋を設け、袋部と内袋部の開口部を縫着し、開口部の周縁に紐通しを設けて開口部を開閉自在とし、袋部の裾部に弾力性のある合成樹脂などからなる足を設け、足裏に指圧ゾ−ンを表示する。以上よりなる足裏指圧練習用モデル足付き収納袋。
【発明の詳細な説明】
【技術分野】
【０００１】  本発明は、リフレクソロジ−と称される足裏指圧練習用モデル足に収納部を設けることで、個人的に指圧練習をしやすくするために発明されたものである。  また、これを収納する袋を取りつけ一体化させることで持ち運びも容易に出来ることも可能とした発明に関するものである。
【技術背景】
【０００２】  従来、足裏指圧の練習に相手がいることは必須条件であるが個人的に練習したい場合練習相手がいない場合も多く、そうなると自分の足で行うかテキスト上のチャ−トを見ながらイメ−ジトレ−ニングするしか方法がなかった。
【発明の開示】
【発明が解決しようとする課題】
【０００３】  そのために、次のような問題点があった。  自分の足を使ったりイメ−ジトレ−ニングだけでは実際に足裏を指圧するという感覚がつかみにくく、人の足を借りての練習はお互いの時間の都合もあり、いつでもどこでも練習することが難しかった。本発明は以上の問題点を解決しようとするものである。
【課題を解決するための手段】
【０００４】  ズボン状からなる袋部の上部を開口部とし、その袋部の口にはひも通し部を設け、ひもを通す。袋部の上縁より内側に収納部となる内袋を設け、ズボン状からなる袋部の裾には弾力性のある材料もしくは５本指からなる靴下に綿等を詰めて作ったほぼ人体大の足の指圧練習用の足を設け足裏に指圧ゾ−ンを表示する。本発明は以上の構成よりなる足裏指圧練習用モデル足付き収納袋である。
【発明の効果】
【０００５】  本発明は、足裏指圧の練習を効率的に行うことが出来る。また袋体になったものを使用することにより手軽に収納出来、持ち運びにも便利となる。
【発明を実施するための最良の形態】
【０００６】  以下、本発明の実施の形態を説明する。  （イ）外側がズボン状からなり内部を空洞にし上部を開口した袋部（１）の内側に、袋部（１）よりやや小さくして上部を開口した収納部（２）を有する内袋（９）を設ける。  （ロ）袋部（１）と内袋（９）の開口部（４）を縫着する。  （ハ）開口部（４）の周縁にひも通し（５）を設け、ひも（６）を通し開口部（４）を開閉自在とする。  （ニ）袋部（１）のズボンの裾となる裾部（３）に足（７）を設ける。  （ホ）足（７）は弾力性のある合成樹脂等の素材か５本指靴下の内部に綿等を詰めて柔軟質に作る。  （ヘ）足（７）の足裏に指圧ゾ−ン（１０）を表示する。  本発明は、以下の構成より成り立っている。  本発明を収納するときは、足（７）と袋部（１）を折りたたんでひっくり返すと内袋（９）の収納部（２）に納まる。ひも（６）をひいてしぼって巾着袋になるため持ち運びも容易にできる。  また、使用するときには、開口部（４）のひも（６）をほどき内袋（９）の収納部（２）に納まっている袋部（１）と足（７）を取り出し、内袋（９）を袋部（１）の中に納め開口部（４）のひも（６）を引き絞って結び使用する。
【図面の簡単な説明】
【０００７】
【図１】本発明の斜視図
【図２】本発明の断面図
【図３】本発明の収納状況を示す展開図
【図４】本発明の足裏図
【図５】本発明の使用状況図
【符号の説明】
【０００８】        １  袋部        ２  収納部        ３  裾部        ４  開口部        ５  ひも通し        ６  ひも        ７  足        ８  足裏        ９  内袋      １０  足裏指圧ゾ−ン
【図１】
2006102422.tif 000003
【図２】
2006102422.tif 000004
【図３】
2006102422.tif 000005
【図４】
2006102422.tif 000006
【図５】
2006102422.tif 000007